【手続補正書】
【提出日】平成16年5月19日(2004.5.19)
【手続補正１】
【補正対象書類名】明細書
【補正対象項目名】特許請求の範囲
【補正方法】変更
【補正の内容】
【特許請求の範囲】
【請求項１】
所定のセルギャップで対向配置された一対の基板と、
前記一対の基板間に形成された垂直配向膜と、
前記垂直配向膜間に封止され、負の誘電率異方性を備えた液晶層と、
前記液晶層中に設けられ前記液晶分子の傾斜方向を規定する液晶骨格又は非液晶骨格を備えた硬化物と
を有することを特徴とする液晶表示装置。
【請求項２】
請求項１記載の液晶表示装置において、
少なくとも前記一対の基板の一方に配置され、電圧印加時において前記液晶層中の全体的な液晶分子の配向方向を規制する配向規制用構造物を有すること
を特徴とする液晶表示装置。
【請求項３】
請求項１又は２に記載の液晶表示装置において、
前記硬化物は、光硬化性あるいは熱硬化性のモノマーの重合により形成されていること
を特徴とする液晶表示装置。
【請求項４】
所定のセルギャップで対向配置された一対の基板と、
前記一対の基板間に形成された垂直配向膜と、
前記垂直配向膜間に封止され、負の誘電率異方性を備えた液晶層と、
前記液晶層中に設けられ、液晶分子の傾斜角を所定領域毎に変化させる液晶骨格又は非液晶骨格を備えた硬化物と
を有することを特徴とする液晶表示装置。
【請求項５】
請求項４記載の液晶表示装置において、
少なくとも前記一対の基板の一方に配置され、電圧印加時において前記液晶層中の全体的な液晶分子の配向方向を規制する配向規制用構造物を有すること
を特徴とする液晶表示装置。
【請求項６】
負の誘電率異方性を備えた液晶に光硬化性のモノマーを添加した液晶層を一対の基板間に封止し、
所定の開口パターンを有するマスクを介して前記液晶層を露光して、液晶分子の基板法線方向の平均プレチルト角が所定領域毎に異なるようにすること
を特徴とする液晶表示装置の製造方法。
【請求項７】
対向配置された一対の基板と、
前記一対の基板の対向面にそれぞれ形成された電極と、
配向規制用構造物としての、延伸方向に沿って頂上近傍に形成された凹凸部を備え、前記電極上に配置される線状突起と、前記電極の電極材の一部を抜いて形成され、延伸方向にストライプ状電極が形成されたスリット部との少なくともいずれか一方と、
前記一対の基板間に形成された垂直配向膜と、
前記垂直配向膜間に封止され、負の誘電率異方性を備えた液晶層と
を有することを特徴とする液晶表示装置。
【請求項８】
対向配置された一対の基板と、
前記一対の基板の対向面にそれぞれ形成された第１及び第２の電極と、
前記第１の電極の電極材の一部を抜いて形成されたスリット部と、前記第２の電極の前記スリット部に対向する位置に形成された導電性線状突起との組合せによる配向規制用構造物と、
前記一対の基板間に形成された垂直配向膜と、
前記垂直配向膜間に封止され、負の誘電率異方性を備えた液晶層と
を有することを特徴とする液晶表示装置。
【請求項９】
請求項８記載の液晶表示装置において、
前記スリット部は、前記スリット部の延伸方向にストライプ状電極を備えていること
を特徴とする液晶表示装置。
【請求項１０】
請求項９記載の液晶表示装置において、
前記導電性線状突起の頂上部は、延伸方向に凹凸を繰り返す凹凸部を有していること
を特徴とする液晶表示装置。
【請求項１１】
対向配置された一対の基板と、
前記一対の基板の対向面にそれぞれ形成された電極と、
前記電極の電極材の一部を抜いて形成され、延伸方向にストライプ状電極が形成されたスリット部を有する配向規制用構造物と、
前記スリット部以外の前記電極上に形成された誘電体層と、
前記誘電体層上に形成された垂直配向膜と、
負の誘電率異方性を備えた液晶層と
を有することを特徴とする液晶表示装置。
【請求項１２】
対向配置された一対の基板と、
前記一対の基板の対向面にそれぞれ形成された第１及び第２電極と、
配向規制用に設けられ、頂上部に第３の電極が形成された線状突起と、
前記一対の基板間に形成された垂直配向膜と、
前記垂直配向膜間に封止され、負の誘電率異方性を備えた液晶層と
を有することを特徴とする液晶表示装置。
【請求項１３】
請求項１２記載の液晶表示装置において、
前記第３の電極には、当該第３の電極と対向配置される前記第１又は第２の電極との電位差が他の領域より小さくなる電位が印加されること
を特徴とする液晶表示装置。
【請求項１４】
対向配置された一対の基板と、
前記一対の基板の対向面にそれぞれ形成された電極と、
配向規制用構造物としての、前記電極上に配置される線状突起と、前記電極の電極材の一部を抜いて形成されたスリット部との少なくともいずれか一方と、
前記一対の基板間に封止され、負の誘電率異方性を備え、電圧無印加時の前記配向規制用構造物上の液晶分子が非垂直配向する液晶層と
を有することを特徴とする液晶表示装置。
【請求項１５】
請求項１４記載の液晶表示装置において、
前記電圧無印加時の前記配向規制用構造物上の液晶分子のプレチルト角が、概ね０°であること
を特徴とする液晶表示装置。
【請求項１６】
請求項１４又は１５に記載の液晶表示装置において、
前記配向規制用構造物又はその対向部における配向膜の膜厚は、前記配向規制用構造物が存在しない領域の膜厚よりも薄いこと
を特徴とする液晶表示装置。
【請求項１７】
請求項１６記載の液晶表示装置において、
前記配向規制用構造物又はその対向部に前記配向膜を形成しないこと
を特徴とする液晶表示装置。
【請求項１８】
所定のセルギャップｄで対向配置された一対の基板と、前記一対の基板間に封止され、負の誘電率異方性を備え、前記基板面にほぼ垂直に配向する液晶とを有する液晶表示装置であって、
前記所定のセルギャップｄは、２．０μｍ以下であり、
前記液晶の屈折率異方性Δｎは、０．１５００以上であり、
リタデーションΔｎ・ｄは、０．３０μｍ＜Δｎ・ｄ＜０．４２μｍであること
を特徴とする液晶表示装置。
【請求項１９】
請求項１８記載の液晶表示装置において、
前記一対の基板の少なくとも一方に前記液晶の配向方位を規制する配向規制用構造物が形成されていること
を特徴とする液晶表示装置。
【請求項２０】
所定のセルギャップｄ（μｍ）で対向配置された一対の基板と、前記一対の基板間に封止され、負の誘電率異方性を備え、前記基板面にほぼ垂直に配向する液晶とを有する液晶表示装置であって、
前記液晶は、前記セルギャップｄ（μｍ）と回転粘性γ1（ｍＰａ・ｓ）とスプレイの弾性定数Ｋ11（ｐＮ）とベンドの弾性定数Ｋ33（ｐＮ）と誘電率異方性Δεとが、
（γ1−１．１）×（Ｋ11＋２３３．７）×（Ｋ33＋３６．９）×（ｄ−１．１）×（Δε4＋３１．７Δε3＋３７０．８Δε2＋１９４８．６Δε＋４３０４．２）≦８．８×１０8    （式１）
を満たすことを特徴とする液晶表示装置。
【請求項２１】
所定のセルギャップｄ（μｍ）で対向配置され、少なくとも一方に配向規制用構造物が形成された一対の基板と、前記一対の基板間に封止され、負の誘電率異方性を備え、前記基板面にほぼ垂直に配向する液晶とを有する液晶表示装置であって、
前記液晶は、前記セルギャップｄ（μｍ）と回転粘性γ1（ｍＰａ・ｓ）とスプレイの弾性定数Ｋ11（ｐＮ）とベンドの弾性定数Ｋ33（ｐＮ）と誘電率異方性Δεとが、
（γ1−１．１）×（Ｋ11＋８７５．６）×（Ｋ33＋５０．６）×（ｄ4＋２．７ｄ3＋９．５ｄ2＋４３０．８ｄ＋５２４．１）×（Δε4＋３１．７Δε3＋３７０．８Δε2＋１９４８．６Δε＋４３０４．２）≦１．６×１０12  （式２）
を満たすことを特徴とする液晶表示装置。